(57)【要約】【課題】証印に、所定の温度にて特定の放射率値を提供すること。【解決手段】変化する特定の放射率値を有する読み取り可能な情報および他の証印（１０２）を検出しデコードする検出システム（１００）が提供される。本検出システム（１００）は、センサー（１０６）と、回路（１２０）、（１２４）と、温度に影響するメカニズムとを有する。本システム（１００）は、証印（１０２）の相対温度に影響するためにエネルギーを提供するエネルギー生成装置と、証印（１０２）によって発せられたエネルギーを検出する検出回路とを備える。本システム（１００）はまた、コンピュータのディスプレイ画面または音声発信装置などの他のハードウェアに接続され得る。同時に、センサー（１０６）は当該の目的物から発せられたエネルギーを計測することによって、異なる放射率値を検出する。【選択図】図１
2006120159.tif 000002
【特許請求の範囲】
【請求項１】
証印を検出するためのシステムであって、該証印は少なくとも一つの放射率値を有し、該システムは、
該証印の相対温度に影響するためにエネルギーを提供するエネルギー生成装置と、
該証印によって放射せられたエネルギーを検出する検出回路と
を備える、システム。
【請求項２】
前記証印が、少なくとも二つの異なる要素を備える、請求項１に記載のシステム。
【請求項３】
前記証印から検出される該エネルギー量が、該証印の要素それぞれの放射率値によって変化する、請求項２に記載のシステム。
【請求項４】
前記証印が、該証印の少なくとも一つの要素の放射率値と異なる放射率値を有する基板にあり、該基板の放射率値が、該証印の放射率値に付け加えて、検出され得る、請求項３に記載のシステム。
【請求項５】
前記基板と前記証印との間に少なくとも一つの介在層があって、該介在層の放射率値の少なくとも一つが、該証印の少なくとも一つの要素の放射率値と異なっており、該介在層の放射率値が、該証印の放射率値に付け加えて、検出され得る、請求項４に記載のシステム。
【請求項６】
前記介在層がバックグラウンド層である、請求項５に記載のシステム。
【請求項７】
前記供給されたエネルギーが、前記介在層の相対温度を、前記証印の相対温度とほぼ同じにさせる、請求項５に記載のシステム。
【請求項８】
前記証印の温度が、該証印および前記基板の変化する放射率値を検出するセンサーの周りの環境の温度と、測れる程度に異なっている、請求項６に記載のシステム。
【請求項９】
前記証印の要素は、該要素の配置がコード化された情報を示す方法において、組み合わされる、請求項５に記載のシステム。
【請求項１０】
前記証印は、該証印が少なくとも二つの異なる放射率値を有するように、多数の要素を備える、請求項１に記載のシステム。
【請求項１１】
前記多数の要素が、コード化された情報を示す方法において組み合わされている、請求項１０に記載のシステム。
【請求項１２】
前記証印の配置において含まれる情報をデコードする演算回路をさらに備える、請求項１に記載のシステム。
【請求項１３】
前記エネルギー生成装置が熱エネルギー源である、請求項１に記載のシステム。
【請求項１４】
前記エネルギー生成装置が光エネルギー源である、請求項１に記載のシステム。
【請求項１５】
前記光エネルギー源がフラッシュランプである、請求項１４に記載のシステム。
【請求項１６】
前記エネルギー生成装置が、前記証印の変化する放射率値を検出するセンサーの周りの環境の温度を下げることによって、該証印の相対温度に影響を与える、請求項１に記載のシステム。
【請求項１７】
前記エネルギー生成装置が、前記証印の変化する放射率値を検出するセンサーの周りの環境の温度を増加させることによって、該証印の相対温度に影響を与える、請求項１に記載のシステム。
【請求項１８】
前記介在層が導電層である、請求項５に記載のシステム。
【請求項１９】
前記エネルギー生成装置が、電磁エネルギーを生成することによって、前記証印の温度に影響を与える、請求項１に記載のシステム。
【請求項２０】
前記エネルギー生成装置が動いている磁石である、請求項１９に記載のシステム。
【請求項２１】
前記エネルギー生成装置がソレノイドコイルである、請求項１９に記載のシステム。
【請求項２２】
前記証印が高固体含量インクを含む、請求項１に記載のシステム。
【請求項２３】
前記証印が、前記介在層と類似した外見を有する、請求項５に記載のシステム。
【請求項２４】
前記証印を検出するための方法であって、該証印が少なくとも一つの放射率値を有し、該方法は、
該証印の位置を検出することと、
該証印の相対温度に影響を与えるためにエネルギーを供給することと、
該証印から放射せられたエネルギーに応じて該証印を検出することと
を包含する、方法。
【請求項２５】
前記証印が少なくとも二つの異なる要素を含んでいる、請求項２４に記載の方法。
【請求項２６】
前記証印から検出されるエネルギー量が、該証印の要素の放射率値によって変化する、請求項２５に記載の方法。
【請求項２７】
前記証印が位置されている基板は、該証印の少なくとも一つの要素の放射率値とは異なる放射率値を有し、該基板の放射率値が、該証印の放射率値に付け加えて、検出され得る、請求項２６に記載の方法。
【請求項２８】
前記基板と前記証印との間に少なくとも一つの介在層があり、該介在層の放射率値の少なくとも一つは、該証印の少なくとも一つの要素の放射率値とは異なり、該介在層の放射率値が、該証印の放射率値に付け加えて、検出され得る、請求項２７に記載の方法。
【請求項２９】
前記介在層がバックグラウンド層である、請求項２８に記載の方法。
【請求項３０】
前記供給されたエネルギーが、前記介在層の相対温度を、前記証印の相対温度とほぼ同じにさせる、請求項２８に記載の方法。
【請求項３１】
前記証印の温度が、前記証印および前記基板の放射率値を検出するセンサーの周りの環境の温度と、計れる程度に異なっている、請求項２９に記載の方法。
【請求項３２】
前記証印の要素は、該要素の配置がコード化された情報を示す方法において、配置されている、請求項２８に記載の方法。
【請求項３３】
異なる放射率値を持つ多数の証印を有する前記基板を提供することをさらに包含する、請求項２４に記載の方法。
【請求項３４】
前記証印が、コード化された情報を示す方法において、組み合わされている、請求項３３に記載の方法。
【請求項３５】
前記証印の配置において含まれる情報をデコードする演算回路をさらに備える、請求項２４に記載の方法。
【請求項３６】
前記エネルギーが熱エネルギー源によって供給される、請求項２４に記載の方法。
【請求項３７】
前記供給されたエネルギーが光エネルギー源である、請求項２４に記載の方法。
【請求項３８】
前記光エネルギー源がフラッシュランプである、請求項３７に記載の方法。
【請求項３９】
前記温度の差異が、前記証印の変化する放射率値を検出するセンサーの周りの温度を下げることによって作られる、請求項２４に記載の方法。
【請求項４０】
前記温度の差異が、前記証印の変化する放射率値を検出するセンサーの周りの温度を増加させることによって作られる、請求項２４に記載の方法。
【請求項４１】
前記介在層が導電層である、請求項２８に記載の方法。
【請求項４２】
前記エネルギーが前記証印の温度に影響を与え、電磁エネルギー源である、請求項２４に記載の方法。
【請求項４３】
前記電磁エネルギー源が、動いている磁石である、請求項４２に記載の方法。
【請求項４４】
前記電磁エネルギー源がソレノイドコイルである、請求項４２に記載の方法。
【請求項４５】
前記証印が高固体含量インクである、請求項２４に記載の方法。
【請求項４６】
前記証印が、前記介在層に類似する外見を有する、請求項２８に記載の方法。
【発明の詳細な説明】
【技術分野】
【０００１】
本発明は、一般的にスキャナーに関する。より詳細には、本発明は、隠された証印（ｈｉｄｄｅｎ  ｉｎｄｉｃｉａ）、読み取り可能なコードおよび変化する放射率値（ｅｍｉｓｓｉｖｉｔｙ  ｖａｌｕｅ）を有するマーキングの他のタイプを読むために使われ得るスキャナーに関する。
【背景技術】
【０００２】
様々なマーキング技術は身分証明および認証の目的のために使用されている。例えば、読み取り可能なコードは（例えば、バーコード、２Ｄマトリックス、など）および証印の他のタイプは、重要な情報を、文書や、薬剤、衣服、および小売業付属品などの生産物の他のタイプなどへ添付するために使用されている。そのような読み取り可能なコードは従来、出所、製造者、履歴、所有、および／または他の特徴もしくは、コードが添付される生産物の詳細の情報を含む。薬剤生産物、郵便ラベル、パッケージなどの流通される多くの商品は、しばしば製造、輸送、梱包、および他の生産物情報を提供するためにバーコードを使用する。代替的には、小売業の生産物ラベリングは従来、特定の生産物のための価格情報を提供するために読み取り可能なコードを利用してきた。
【０００３】
模造品に対する保護の必要性が増加するにつれて、様々なタイプの「不可視の」マーキング技術が、より一般的になってきている。例えば、紫外線（ＵＶ）や赤外線（ＩＲ）スキャンニングおよびイメージングシステムは、現在、目に見ることができない情報を検出するために広く使われている。そのようなシステムは従来、光の特定の波長に関連された特定の属性を有する特定のインクを検出するために、反射された光に依存している。これらのシステムを使うことの一つの利益は、特定のインクが、可視スペクトラム（例えば、およそ４００ｎｍ〜７００ｎｍ）からの光を有して描き出された場合、可視化され得ないことである。この方法において、人間は、その生産物が不可視のマーキングを含んでいるかどうかを裸眼にて、確認することはできない。しかしながら、これらの特定のインクは、従来、個々に、ＵＶスペクトラムおよび／またはＩＲスペクトラムにおける光に照らされた場合、目に見える。
【０００４】
磁気材料はまた、読み取り可能なコードの一部として利用されている。そのような磁気を帯びた証印は、磁気を帯びた証印を電磁領域に浸すことによって、検出される。
【０００５】
検出システムの上記で説明されたタイプの初期の成功にもかかわらず、これらのシステムは、検出の代替的な形式に、脆弱になっている。例えば、特定のインクを使用した隠された証印は、インクと放射線との相互作用を介して、検出され得るか、または可視化され得る。それゆえ、改良された読み取り可能なコード、または検出の代替的な形式から保護される証印を提供することが所望される。
【０００６】
さらに、証印および検出システムの多くの従来のタイプは、検出に影響され易いだけでなく、複製にも影響され易いことが証明されている。例えば、食物生産物、運転免許書もしくは小売業付属品などの従来のバーコードは、コピーによって複製され得る。オリジナルのバーコードにおいて蓄えられた情報は、なんら苦労なく（もしあればだが）、コピーによって作られたバーコードから抽出される。さらに、コピーによって作られたバーコードに蓄えられた情報は、オリジナルのバーコードに蓄えられた情報を抽出するために必要である同じ検出装置を使用することで抽出され得る。
【０００７】
不可視であり隠された証印はまた、例えば従来の事務用品（蛍光ペンやＵＶ電球などのような）を複製し得る。隠された証印の従来のタイプの使用はまた、容易に複製され得るので、例えば、遊園地は隠された証印だけに依存しない。再許可のために利用者の手にスタンプを押す場合、多くの遊園地は、紫外光によって検出され得る不可視のインクを使う。付け加えて、多くの遊園地は、そのインクは容易に取得され、複製されるので、１日基準（安全対策として）で、スタンプの形を変える。
【０００８】
一般に、バーコードまたはマーキングの他のタイプのものを検出および／または読む多くの検出システムは、（例えば、箱にあるバーコードなどに）エネルギー源を与えられた場合、目に見える、もしくは目に見えるようになるマーキングを検出し得る。これらのマーキングは、衝突放射線源の反射または吸収によって読まれる。必要とされる放射源は、一般的にマーキングの光反射または吸収の属性に対応しなければならない。そういうものとして、これらのシステムはマーキングを検出できず、それは光反射以外の手段によって解読されない情報を含む。また、これらのシステムは、放射線を与えられた場合でさえも、目に見えるようにならないマーキングを検出し得ない。それゆえ、不可視の証印を検出し得、反射されたエネルギーを使用せずに潜在的なコードを解読し得るシステムおよび方法を有することが所望される。
【発明の開示】
【発明が解決しようとする課題】
【０００９】
それゆえ、証印に、所定の温度にて特定の放射率値を提供することが本発明の目的である。また、その同じものの位置を示し、デコードする検出システムおよび方法を提供することが本発明の目的である。
【課題を解決するための手段】
【００１０】
本発明のこれらおよび他の目的は、異なる放射性センサー、エネルギー生成装置、および証印からデータを検出および抽出するための電気回路を含み得る検出システムおよび方法を提供することによって、本発明の原理に基づいて、実現される。証印は、読み取られ、デコードされ得る情報を表し、格納する、マーキングの任意のタイプであり得る。その証印はまた、基板（例えば、インク、生地、ペンキ、化学薬品、織物、接着剤、生物学的素材など）を修正（ｍｏｄｉｆｙ）するために利用される任意の材料をも含み得る。一部の実施形態において、証印は、外見および構成において、ある場所に位置する他の証印と、少なくとも類似し得る。しかしながら、証印は、ある場所に位置する他の証印よりも異なる放射率値を有し得る。証印は、同じ放射率値を有する多数の要素から構成され得る。この方法において、証印は、単一の放射率値を有し得る。
【００１１】
一部の実施形態において、証印は、異なる放射率値を有する二つまたはそれ以上の要素から構成され得る。この方法において、証印は、互いに相対的に近い場所に位置する、変化する放射率値を有する異なる要素の配置、または、一連の異なる要素を有し得る。一実施例は、バーコードの線であり、証印は、白線によって隔てられた黒線から構成される全体のバーコードである。しかしながら、標準のバーコードとは異なり、線から空白を区別するために、異なる放射率値を利用するバーコードは、視覚的差異を持ち得ず、線および空白は、同じ色、構成などであり得る。
【００１２】
一部の実施形態において、証印は、少なくとも外見上、基板または、証印が修正する対象に類似し得る。基板は、修正され得る任意の対象（紙、接着剤、金属、プラスチック、織物、ガラス、舗装材料、セメント、宝石など）でもあり得る。基板は、証印の放射率値とは異なる放射率値を有し得る。基板と証印との間の異なる物質の介在層は、含まれ得、または含まれ得ず、証印の要素よりも異なる放射率値を有し得る。
【００１３】
本発明の一部の実施形態において、センサーは、証印の要素の放射率値において、または、必要に応じて、証印が属する基板における違いを検出し得る。異なる放射性は、同じ温度および同じ場所などで、他の証印、証印の要素のそれに比較される放射光および／または熱エネルギーを発するために、所与の証印、証印の要素などの相対的能力である。証印または、証印と証印がある基板は、ほぼ同一の温度を有し、それゆえ、放射の温度計測における表面的な違いは、変化する放射率値のためである。
【００１４】
一部の実施形態において、証印の温度にとって、センサーの周囲の環境の温度と異なることが所望される。センサーの周囲の環境は、温度の参照としてセンサーを使用する任意のものでもあり得る（例えば、証印よりもセンサーに近い場所、証印や基板の周りのガス、センサーと証印との間の領域、証印よりもセンサーへ近接している領域など）。
【００１５】
例えば、熱遮蔽、または他の加熱装置や冷却装置の使用は、センサーの周りの環境の温度を変化させることに役立つ。
【００１６】
証印および基板の温度がほぼ同一であり、センサーの周囲の環境の温度が異なる場合、検出された放射された熱エネルギーの違いは、変化する放射率値のためであり得る。センサーの周りの環境の温度より上で、証印、基板などの温度を上昇させるために、本発明の検出システムは、エネルギーの異なる形式を、証印や基板へ供給し得る。エネルギーの異なる形式は、証印、基板、センサーの周りの環境などの配置に影響され得る。異なるエネルギー源は一部の実施形態において組み合わされ得る。
【００１７】
本発明の一部の実施形態は、システムの機能性およびデコードデータを調整し、組み合わせるために回路構成を含み得る。そのような回路構成は、検出システムの内部または外部に位置し得る。そのような検出システムは、スキャン装置、イメージング装置、または変化する放射率値のために証印の要素を一般的に検出する他の装置として、構成され得る。上記で述べたように、一部の実施形態において、証印または、複数の証印の要素の異なる放射率値は、そのような方法にてアレンジされるので、それが読み取り可能またはコード化情報を含む。回路構成は、検出システムに、証印が存在する任意の場所においても利用させることができる。
【００１８】
一部の実施形態においては、熱エネルギー源を利用する検出システム（例えば、フラッシュランプなど）は、証印の温度および、必要に応じて、証印のある基板の温度に影響を与えるために、提供される。変化する放射率値が別の方法にて存在する場合（例えば、変化する放射率値を有する証印の多数の要素や、変化する放射率値を有する証印など）、基板の放射率値を参照することは必要とされ得ない。証印内部でのそれぞれの要素の位置は、それゆえ、要素の異なる放射率値の手段を用いて決定され得る。証印の変化する放射率値は、証印の特定の領域から放射されるエネルギーが、単位時間当たり、証印の他の領域、他の証印、または放射率値を有する他のものを検出され得、比較され得るゆえに、位置が確認され得る。データが証印の特定の配置において格納される場合、その意味は、抽出され、および／またはデコードされ得る。
【００１９】
一部の実施形態において、証印の温度に影響を与えるために少なくとも一つの電磁パルスを働かせる検出システムが提供される。ソレノイドにおける電流、動いている磁石または、他の適切な配置は、電磁石パルスを誘導するために利用される。電磁石パルスは、例えば、証印に近接して位置するバックグラウンド層において電流を誘導することによって、証印（および証印の要素）の温度に影響を与え得る。例えば、バックグラウンド層は、証印と基板との間に位置する介在層であり得る。バックグラウンド層は、証印において存在する、任意の放射率値とも異なる放射率値を有し得る。この方法において、証印の要素は、それぞれのバックグラウンド層に検出され得る。証印の温度は、センサーの周りの環境の温度が、周囲にあり、または証印およびバックグラウンド層の温度とは少なくとも異なっているので、影響され得る。
【００２０】
本発明の一部の実施形態において、熱遮蔽を提供することによってセンサーの回りの環境の温度に影響を与える検出システムが提供され得る。そのようにすることは、例えば、センサーの周りの環境と証印の温度との間の温度において違いを提供し得る。さらに具体的には、証印の温度は周囲に残り得、センサーに証印の異なる放射率値または証印の要素を検出させるために、バックグラウンド温度は上昇または下がり得る。
【００２１】
証印の多様な属性を検出およびデコードし得る検出システムがまた、提供され得る。そのようなシステムは、証印の他の任意の属性（放射性、ＩＲ、ＵＶ、視覚的、磁気的など）の組み合わせに付け加えて、異なる証印の要素の異なる放射率値のための証印によって格納されたデータを検出およびデコードすることができる。本実施形態の利用は、異なるタイプの属性（例えば放射性、ＩＲ、ＵＶ、視覚的など）を有する要素を持つ証印に、それぞれ層をなさせ得る。それぞれの証印は、特定のエネルギー源へさらされた後に検出され得る一つ以上の異なる読み取り可能なコードを含み得る。例えば、従来のバーコードである証印は、基板の一部に位置し得る。放射性バーコードである証印は、従来のバーコード証印が位置する基板の同じ部分に位置し得る。従来のバーコード証印は、生産物情報を証明することができるが、一方で放射性バーコード証印は、生産物の真実性を証明し得る。
【００２２】
回路構成は、証印に存在する任意のコードをもデコードすることを含み得る。データをデコードまたは分析することに付け加えて、一部の実施形態において、回路構成は、検出された属性をもとにして、その表面に現れた証印（例えば、物体またはインクのタイプなど）を特徴付けることもできる。さらには、そのシステムは、証印を含む特定の物体を同定するために使われ得る。例えば、そのようなシステムは、赤いペンキ、血液、ケチャップなどのような、基板（例えば、壁または床など）におけるマーキングを識別および同定することができる。
【００２３】
本発明は、さらに以下の手段を提供する。
【００２４】
（項目１）  
証印を検出するためのシステムであって、該証印は少なくとも一つの放射率値を有し、該システムは、
該証印の相対温度（ｒｅｌａｔｉｖｅ  ｔｅｍｐｅｒａｔｕｒｅ）に影響するためにエネルギーを提供するエネルギー生成装置と、
該証印によって放射せられたエネルギーを検出する検出回路と
を備える、システム。
【００２５】
（項目２）  
上記証印が、少なくとも二つの異なる要素を備える、項目１に記載のシステム。
【００２６】
（項目３）  
上記証印から検出される該エネルギー量が、該証印の要素それぞれの放射率値によって変化する、項目２に記載のシステム。
【００２７】
（項目４）  
上記証印が、該証印の少なくとも一つの要素の放射率値と異なる放射率値を有する基板にあり、該基板の放射率値が、該証印の放射率値に付け加えて、検出され得る、項目３に記載のシステム。
【００２８】
（項目５）  
上記基板と上記証印との間に少なくとも一つの介在層があって、該介在層の放射率値の少なくとも一つが、該証印の少なくとも一つの要素の放射率値と異なっており、該介在層の放射率値が、該証印の放射率値に付け加えて、検出され得る、項目４に記載のシステム。
【００２９】
（項目６）  
上記介在層がバックグラウンド層である、項目５に記載のシステム。
【００３０】
（項目７）  
上記供給されたエネルギーが、上記介在層の相対温度を、上記証印の相対温度とほぼ同じにさせる、項目５に記載のシステム。
【００３１】
（項目８）  
上記証印の温度が、該証印および上記基板の変化する放射率値を検出するセンサーの周りの環境の温度と、測れる程度に異なっている、項目６に記載のシステム。
【００３２】
（項目９）  
上記証印の要素は、該要素の配置がコード化された情報を示す方法において、組み合わされる、項目５に記載のシステム。
【００３３】
（項目１０）  
上記証印は、該証印が少なくとも二つの異なる放射率値を有するように、多数の要素を備える、項目１に記載のシステム。
【００３４】
（項目１１）  
上記多数の要素が、コード化された情報を示す方法において組み合わされている、項目１０に記載のシステム。
【００３５】
（項目１２）  
上記証印の配置において含まれる情報をデコードする演算回路をさらに備える、項目１に記載のシステム。
【００３６】
（項目１３）  
上記エネルギー生成装置が熱エネルギー源である、項目１に記載のシステム。
【００３７】
（項目１４）  
上記エネルギー生成装置が光エネルギー源である、項目１に記載のシステム。
【００３８】
（項目１５）  
上記光エネルギー源がフラッシュランプである、項目１４に記載のシステム。
【００３９】
（項目１６）  
上記エネルギー生成装置が、上記証印の変化する放射率値を検出するセンサーの周りの環境の温度を下げることによって、該証印の相対温度に影響を与える、項目１に記載のシステム。
【００４０】
（項目１７）  
上記エネルギー生成装置が、上記証印の変化する放射率値を検出するセンサーの周りの環境の温度を増加させることによって、該証印の相対温度に影響を与える、項目１に記載のシステム。
【００４１】
（項目１８）  
上記介在層が導電層である、項目５に記載のシステム。
【００４２】
（項目１９）  
上記エネルギー生成装置が、電磁エネルギーを生成することによって、上記証印の温度に影響を与える、項目１に記載のシステム。
【００４３】
（項目２０）  
上記エネルギー生成装置が動いている磁石である、項目１９に記載のシステム。
【００４４】
（項目２１）  
上記エネルギー生成装置がソレノイドコイルである、項目１９に記載のシステム。
【００４５】
（項目２２）  
上記証印が高固体含量インクを含む、項目１に記載のシステム。
【００４６】
（項目２３）  
上記証印が、上記介在層と類似した外見を有する、項目５に記載のシステム。
【００４７】
（項目２４）  
上記証印を検出するための方法であって、該証印が少なくとも一つの放射率値を有し、該方法は、
該証印の位置を検出することと、
該証印の相対温度に影響を与えるためにエネルギーを供給することと、
該証印から放射せられたエネルギーに応じて該証印を検出することと
を包含する、方法。
【００４８】
（項目２５）  
上記証印が少なくとも二つの異なる要素を含んでいる、項目２４に記載の方法。
【００４９】
（項目２６）  
上記証印から検出されるエネルギー量が、該証印の要素の放射率値によって変化する、項目２５に記載の方法。
【００５０】
（項目２７）  
上記証印が位置されている基板は、該証印の少なくとも一つの要素の放射率値とは異なる放射率値を有し、該基板の放射率値が、該証印の放射率値に付け加えて、検出され得る、項目２６に記載の方法。
【００５１】
（項目２８）  
上記基板と上記証印との間に少なくとも一つの介在層があり、該介在層の放射率値の少なくとも一つは、該証印の少なくとも一つの要素の放射率値とは異なり、該介在層の放射率値が、該証印の放射率値に付け加えて、検出され得る、項目２７に記載の方法。
【００５２】
（項目２９）  
上記介在層がバックグラウンド層である、項目２８に記載の方法。
【００５３】
（項目３０）  
上記供給されたエネルギーが、上記介在層の相対温度を、上記証印の相対温度とほぼ同じにさせる、項目２８に記載の方法。
【００５４】
（項目３１）  
上記証印の温度が、上記証印および上記基板の放射率値を検出するセンサーの周りの環境の温度と、計れる程度に異なっている、項目２９に記載の方法。
【００５５】
（項目３２）  
上記証印の要素は、該要素の配置がコード化された情報を示す方法において、配置されている、項目２８に記載の方法。
【００５６】
（項目３３）  
異なる放射率値を持つ多数の証印を有する上記基板を提供することをさらに包含する、項目２４に記載の方法。
【００５７】
（項目３４）  
上記証印が、コード化された情報を示す方法において、組み合わされている、項目３３に記載の方法。
【００５８】
（項目３５）  
上記証印の配置において含まれる情報をデコードする演算回路をさらに備える、項目２４に記載の方法。
【００５９】
（項目３６）  
上記エネルギーが熱エネルギー源によって供給される、項目２４に記載の方法。
【００６０】
（項目３７）  
上記供給されたエネルギーが光エネルギー源である、項目２４に記載の方法。
【００６１】
（項目３８）  
上記光エネルギー源がフラッシュランプである、項目３７に記載の方法。
【００６２】
（項目３９）  
上記温度の差異が、上記証印の変化する放射率値を検出するセンサーの周りの温度を下げることによって作られる、項目２４に記載の方法。
【００６３】
（項目４０）  
上記温度の差異が、上記証印の変化する放射率値を検出するセンサーの周りの温度を増加させることによって作られる、項目２４に記載の方法。
【００６４】
（項目４１）  
上記介在層が導電層である、項目２８に記載の方法。
【００６５】
（項目４２）  
上記エネルギーが上記証印の温度に影響を与え、電磁エネルギー源である、項目２４に記載の方法。
【００６６】
（項目４３）  
上記電磁エネルギー源が、動いている磁石である、項目４２に記載の方法。
【００６７】
（項目４４）  
上記電磁エネルギー源がソレノイドコイルである、項目４２に記載の方法。
【００６８】
（項目４５）  
上記証印が高固体含量インクである、項目２４に記載の方法。
【００６９】
（項目４６）  
上記証印が、上記介在層に類似する外見を有する、項目２８に記載の方法。
【００７０】
（摘要）
変化する特定の放射率値を有する読み取り可能な情報および他の証印を検出し解読する検出システムが提供される。
【００７１】
本検出システムは、センサー、回路、温度に影響するメカニズムを有する。本システムは、証印の相対温度に影響するためにエネルギーを提供するエネルギー発生装置と、証印によって発せられたエネルギーを検出する検出回路とを備える。本システムはまた、コンピュータのディスプレイ画面または音声発信装置などの他のハードウェアに接続され得る。同時に、センサーは当該の目的物から発せられたエネルギーを計測することによって、異なる放射率値を検出する。
【発明を実施するための最良の形態】
【００７２】
本発明における上記および他の特徴、その性質および様々な利点は、添えられた図と関連し、以下に続く詳細な説明の考察でさらに明白になる。同一の参照文字は、類似部分を示すものである。
【００７３】
証印およびラベリングの追加的なタイプは、「Ｉｎｆｏｒｍａｔｉｏｎ  Ｅｎｃｏｄｉｎｇ  Ｏｎ  Ｓｕｒｆａｃｅｓ  Ｂｙ  Ｖａｒｙｉｎｇ  Ｓｐｅｃｔｒａｌ  Ｅｍｉｓｓｉｖｉｔｙ」と題される、２００３年２月１日に出願された、共有され係属中の米国特許出願番号第１０／３５５，６７０号、および、「Ｌａｂｅｌ  Ｆｏｒ  Ｒｅｃｅｉｖｉｎｇ  Ｉｎｄｉｃｉａ  Ｈａｖｉｎｇ  Ｖａｒｉａｂｌｅ  Ｓｐｅｃｔｒａｌ  Ｅｍｉｓｓｉｖｉｔｙ  Ｖａｌｕｅｓ」と題される、２００４年４月１４日に出願された、第１０／８２４，９７５号において、個々に開示され、それは、全体において、ここに援用される。
【００７４】
図１は、証印１０２および基板１０４の異なる放射率値のように、基板１０４にある証印１０２の特徴的な属性を検出するシステム１００を示している。
【００７５】
図１で示されるように、例えば、要素１３０および要素１３２は基板１０４に存在し得る。追加的に、要素１３０および要素１３２は、重なり合う領域１３４によって示されるように、基板１０４と同じ部分に位置され得る。要素１３０は、要素１３２とは異なる放射率値を有し得る。さらに、重なり合う領域１３４は、要素１３０および／または要素１３２と異なる放射率値を有し、または有し得ない。これらの証印は集合的に、証印１０２と呼ばれ得る。（証印１０２を構成し得る証印の実施例は、発明の要約においてさらに説明された。）
一部の実施形態において、証印１０２は、証印１０２および基板１０４の個々の放射率値における違いのために、検出され得る。例えば、証印１０２が単一の要素であるか、または単一の放射率値を有する要素から成る場合、異なる放射率値は検出のために提示し得ない。しなしながら、証印１０２の放射率値は、基板１０４の放射率値、または、証印１０２が修正もしくは局地的に位置される任意のものの放射率値からも異なり得る。証印１０２および基板１０４の放射率値における違いは、システム１００に、基板１０４にある証印１０２の位置を確認させることを許可し得る。
【００７６】
一部の実施形態において、検出システム１００は、証印１０２の個々の放射率値における違いのために、基板１０４にある証印１０２を検出し得る。証印１０２は、少なくとも二つの異なる放射率値を有する、少なくとも二つの要素（例えば、要素１３０および要素１３２など）から成り得る。
【００７７】
証印１０２の放射率値を、さらに著しくさせるために、検出システム１００は、証印１０２や基板１０４などの温度に影響を与え得る熱エネルギー源１１０を含み得る。センサー１０６は、それゆえ、証印１０２および基板１０４の放射率値を計測し得る。回路１２４は、特定のデータ（例えば、０または１など）または多数のデータを、放射率解読における特定の違い、または放射率値の違いの範囲へ、関連させるために含み得、そのようなデータは、それゆえ、システム１００により格納および／または回収され得る。
【００７８】
熱エネルギー源１１０は、熱エネルギー源（例えば、フラッシュランプ、ＩＲエネルギー源など）の任意のタイプでもあり得る。熱エネルギー源１１０は、例えば、証印１０２の温度に影響を与えるために、利用され得る。上記で示されるように、特定の検出技術は、証印１０２の温度がほぼ同一で、しかしセンサー１０６の回りの環境の温度とは異なることを好み得る。したがって、熱エネルギー源１１０は、センサー１０６の回りの環境の温度に影響を与えることなく（例えば、センサーの回りの環境の温度が周囲のままであり得る）、証印１０２の温度に影響を与える（例えば、上昇させる）。この方法において、熱エネルギー源１１０は、証印１０２へ焦点が合わされ、または直接に供給され得る。
【００７９】
一部の実施形態において、証印１０２の温度は、証印１０２が基板１０４などにあるように、任意のものおよび／または物体とほぼ同じ温度であることが所望され得る。これらの実施形態において、エネルギー源１１０は、証印および、証印と基板とにほぼ同じ温度にさせる基板の温度に影響を与え得る。上記で説明されたように、証印および基板の温度は、センサー１０６の周りの環境の温度からは異なり得る。
【００８０】
一部の実施形態において、熱エネルギー源１１０は、ＩＲエネルギー源としての役目を果たし得る。この方法において、フィルターは、フィルター１１６のように、証印へ所望されるエネルギーを提供するために、ＩＲ放射および／または光の他の必要な波長を通すために、利用され得る。
【００８１】
本発明における一部の実施形態は、多数のフィルターを、証印１０２および／または多くの証印の多様な属性を検出するために利用され得る。多数のフィルターの利用は、システム１００に、異なるタイプのエネルギーに、同じエネルギー源を提供させ得る。証印の異なる属性は、変化するエネルギーへ、異なるように反応し得る。例えば、ＩＲエネルギーを応用することは、証印１０２の温度を上昇させ得るが、一方で、可視光線（または白色光）を応用することは、証印１０２の色を顕著にさせ得る。エネルギー源１１０は、一つ以上のフィルター１１６のように、多数のエネルギー源またはフィルターを利用することによって、異なるタイプのエネルギーを提供し得る。
【００８２】
十分な電力が熱エネルギー源１１０および検出システム１００の他の電気的構成要素を動作させるために提供され得る。例えば、電力が電力供給１１８によってその構成要素へ供給され得、それは電力の任意の適した源（例えば、バッテリー、ＡＣ／ＤＣコンバータ、ＡＣ電源など）でもあり得る。電力が熱エネルギー源１１０によって必要とされ、電力供給１１８が十分でない場合、蓄電器１２２は含まれ得る。この方法において、蓄電器１２２は熱エネルギー源１１０と電力供給１１８との間に、電気的に結合され得る。蓄電器１２２は、電力供給１１８によって供給されるエネルギーを格納し得る。十分な電力が要求される場合、蓄電器１２２は、格納された電力の少なくとも一部を放電し得る。代替的には、蓄電器１２２は、熱エネルギー源１１０または他の任意の電気的構成要素が経験する電力の量を調整または制限する調節装置として利用され得る。
【００８３】
センサー１０６は、例えば、証印１０２（および、必要であれば基板１０４も）の異なる放射率値または放射温度を計測するために含まれ得る。一部の実施形態において、センサー１０６は、証印１０２の要素の放射率における違いを検出し得る。他の実施例として、センサー１０６は、同じ温度および同じ場所にて、表面または背面の層の放射および／または熱エネルギーに比較される放射および／または熱エネルギーを発するために、所定の表面修正（証印１０２にように）の相対的電力を計測し得る。センサー１０６はまた、異なるセンサーの機能を提供し得、または多数の異なるセンサーであり得る。センサー１０６はまた、証印１０２の要素の異なる放射率値に付け加えて、証印１０２および基板１０４（例えば、視覚的、ＩＲ、ＵＶ、電磁的、など）の要素の他の特性を計測し得る。
【００８４】
検出システム１００は、証印１０２の要素を検出し得、位置を確認し得る。証印１０２の要素は、偽造品を検出するために意図された方法において物理的に位置を確認された場合であっても、検出され得る。例えば、証印１０２は、容易に観察可能であり得る場所（例えば、デザイナー物の財布の内部など）に位置し得る。この方法において、真の製造者による隠された証印の可能な包含は、潜在的な偽造品に対して、等しく効果的な抑止力として利用し得る。証印１０２はまた、不可視であり得る。代替的には、証印１０２は可視であり得るが、基板１０４および／または、周囲の証印または異なる放射率値を有する層に、少なくとも実質的に類似している外見および構造を有し得る。そうであるゆえに、証印１０２の要素は、他の全ての局面において完全に通常に見える一方で、裸眼には明らかとならない情報を有し得る。検出システム１００はまた、証印１０２の要素が可視であり、および／または、証印１０２の周りにある基板および／または層と、外見または構造が完全に異なっている場合でも、証印１０２の要素を検出することが可能であり得る。
【００８５】
基板１０４は、証印１０２が修正または存在する対象または物体であり得る。例えば、基板１０４は、修正され得る任意の物体でもあり得る（例えば、紙、接着剤、金属、プラスチック、織物、木材、ガラス、舗装、石、セメント、宝石、その他）。
【００８６】
一部の実施形態において、証印１０２は、基板１０４の任意の部分にも位置し得る。証印１０２は、基板１０４とは異なる放射率値を有し得る。例えば、基板１０４および証印１０２の温度（または基板１０４への他の修正）は、エネルギー源によって影響され得る。付け加えて、異なる放射率値は、特定の証印の位置に、基板１０４に関連して、識別することを可能とさせ得る。検出システム１００は、変化する放射率値を検出することによって証印１０２の要素の位置を確認し得る。
【００８７】
検出システム１００は、読み取り可能な情報および／または基板１０４にある証印１０２の要素に格納された解読コードを読むために提供され得る。この方法において、コードは、利用者または機械へ、情報またはデータを提供するために解読され得る。解読された情報は、それゆえ、今度は解読された情報を利用し、操作し、および／またはさらに修正する別のシステムまたは装置へ運ばれ得る。追加の解読方法は、システム１００が結合され得る他の任意のシステムまたは装置において提供され得る。
【００８８】
証印１０２の放射率値の差は、基板１０４の少なくとも二つのパターンにおいて組み合わされ得る。所望される場合、変化する放射率値を有する多数の要素をそれぞれ有する多数の証印は、基板１０４における多数のパターンにおいて組み合わされる。放射率値における違いは、知られ得、または知られ得ない。また例えば、多数の基板は、それぞれ局部で利用され、位置を確認され得、異なる放射率値を有する異なる基板のパターンを作り上げる。この方法において、基板は、証印の要素を示すそれぞれの基板を有する証印を集合的に示す。これらのパターンのすべては、情報を示し、および／または格納するコードまたはマーキングの他のタイプを形成するために利用され得る。コードは読み取り可能であり、人間にも可読であり得る。例えば、人間に可読なコードは、不可視の証印によって示され得る。その場合、不可視の証印は、システム１００によって証印の変化する放射率値のために検出され得、人間に可読のコードのイメージは、それゆえ、人間がそれを読むことができるように、ディスプレイの画面に表示される。通常、これらのパターンは、それらの周囲からは見分けをつけることができず、そのコードは、データおよび／または情報を含み得る。
【００８９】
別の実施例として、証印１０２の要素は、バーコードとしてのデータを格納するために組織され得る。バーコードは、従来のバーコード（例えば、線と線との間において様々なスペースを有して様々な幅を持つ一連の平行線）または従来と異なるバーコード（例えば、二次元データマトリックスなど）であり得る。例えば従来のコードにおいては、線とスペースとの厚さが情報を示している。上記で説明されたように、証印１０２の温度は、熱エネルギー源１１０によって影響され得る。そのような方法において、その温度は周囲よりも上昇され得る一方で、センサー１０６の周囲の温度は周囲のままである。センサー１０６は、それゆえ、証印１０２の要素の放射率値を検出し得る。例えば、従来のバーコードは、条件を満たし得る。そのような方法において、バーコードのそれぞれの線は、同じ放射率値を有する。バーコードの線の放射率値は線と線との間に位置された基板または証印から異なり得る。
【００９０】
多数の証印または多数の基板が提供された場合、システム１００は、当該証印または基板へ局部的に、放射率値それぞれに関連する異なる放射率値を検出し得る。
【００９１】
検出システム１００は、コード化された情報の別のタイプを検出するために構成され得る。例えば、システム１００は、多くの放射率値の配置（従来のコードの白と黒の線のように、たった二つの異なった放射率値などよりもむしろ）によってコード化された情報を検出し得る。これは、例えば、証印の同じ領域を有するさらに多くの情報を格納することができるバーコードを提供し得る。なぜならば、バーコードのそれぞれの線は、多数の異なる放射率値のうちの一つであり得るからである。この方法において、放射率を使用したバーコードのそれぞれの線は、１６進法の数（０〜ｆ）、ならびに、従来の「１」または「０」（例えば、黒または白、吸収または反射など）の代わりに、他の基礎数を示すことができ得る。したがって、特定の放射率値はまた、特定のデータ状態または言葉へ相関し得る。
【００９２】
異なる基礎数を使用するコードを検出するために、検出システム１００は、証印１０２の異なる要素の変化する放射率値を計測し得、デコーディング回路１２４は、関連されたデータを放射率差に基づいた計測を割り当て得る。このように、放射率コードのそれぞれの線またはピクセルは、証印の放射率のみのために（線とスペースの幅を考慮することなく）、多数の情報量を示し得る。
【００９３】
当業者は、証印１０２の要素が、所与のデータを示すために、任意のコード化された様態においても提供され得ることを評価する。この方法において、ここにおいて説明されたコードは、例えばバーコードのように、特定のコードのタイプに限定されない。
【００９４】
代替の実施形態において、検出システム１００は、証印１０２の要素または異なる証印を特徴付け得る証印の他の属性（例えば、ＵＶ、ＩＲ、電磁的、色、など）を検出し得る。他の特性は、証印１０２から基板１０４や、類似または実際同一の放射率値にもかかわらず、他の証印および／または介在層を差異化し得る。これは、例えば上記で説明されたように、基板１０４の同じ部分にて異なるコードを含む多数のインク層へ利用され得る。それぞれのコードは、それゆえ、コードが示される証印の要素に特有の属性のために、検出され得る。
【００９５】
代替的には、システム１００は、証印１０２や基板１０４、および／または他の層が含まれ得る材料もしくは材料的要素を同定する目的のために、他の属性を検出し得る。例えば、システム１００は、証印１０２の異なる特質（例えば、放射率、ＩＲ、ＵＶ、電磁的、視覚的、など）を検出することができ得、血液のその異なる属性のために、それが血液（または他の物質）であることを決定し得る。さらには、システム１００は、もはや基板を修正しない異なる物質の位置を検出することができ得る。例えば、血液は、表面に存在し得るが、表面がきれいにされた場合、血液の可視的なしるしが取り除かれる。システム１００は、残された不可視の属性または属性の組み合わせ（放射率のような）を検出することによって、血液が位置された場所をつきとめることができ得る。
【００９６】
検出システム１００は、リフレクタ１０８、本体１１２、トリガ１１４、制御回路１２０、デコーディング回路１２４およびケーブル１２６を含み得る。
【００９７】
リフレクタ１０８は、熱エネルギー源１１０から基板１０４の特定の部分へ、エネルギーを導き、基板１０４の特定の部分を拡大し、他のものの中でエネルギー源１１０の効果を高めるために利用され得る。この方法において、リフレクタ１０８は、センサー１０６の近くに位置され得る。多数のリフレクタが含まれ得る。
【００９８】
システム１００の構成要素は、本体１１２を利用することによって、ダメージから保護され得る。そのような構成要素は、例えば、図に示されたものおよび、ワイヤ、電子機器、プロセッサー、光発光ダイオード、ワイヤレス・アンテナなどの図に示されていないものも含み得る。本体１１２は、例えば、システム１００の操作を妨げない、任意のタイプの素材（例えば、プラスチック、金属、繊維ガラスなど）からも作られ得る。本体１１２は、任意の形でもあり得、手で持てる大きさであり、または、物体に取り付けられ得る。
【００９９】
入力および出力信号は、一つ以上のトリガ、ケーブル、ボタン、またはワイヤレス装置を介して、検出システム１００から送信または受信され得る。検出システム１００はまた、センサー１０６がオンになり、またはアクティブである場合、開始または制御するためにトリガ１１４を利用し得る。トリガ１１４は、本体１１２（図１で示されるように）を持っている同じ手を使いながら、センサー１０６が好適に動作され得るように位置され得る。
【０１００】
当業者は、トリガ１１４が様々な別の方法において、位置され、形成され得ることを理解する。例えば、トリガ１１４は、本体１１２に位置されるボタン、またはワイヤレス装置（例えば、手に持てる遠隔制御装置、携帯電話、コンピュータ、携帯用コンピュータ、音楽再生装置など）であり得る。代替的には、トリガは検出システムを動作させることを提供され得ない。例えば、システムは絶えずスキャンするために構成され得る。別の実施例として、そのようなシステムは、タイマーに基づいて、もしくは、センサーがイメージをスキャンし、または、基板にある様々な証印の別の要素を読む場合に示している信号の受信に基づいて（例えば、オンになる、など）、動作され得る。
【０１０１】
図１および本発明における一部の実施形態にて示されたように、制御回路１２０は、本体１１２に位置され得る。この方法において、制御回路１２０は、制御回路１２０が入力信号を受信または出力信号を送信する一つ以上の構成要素へ容易に結合され得る。したがって、制御回路１２０は、例えば、検出システム１００の任意の構成要素の相互作用および動作を調整し得る。そのような構成要素は、トリガ１１４、電力供給１１８、センサー１０６、蓄電器１２２、熱エネルギー源１１０などを含み得る。制御回路１２０は、メモリー（図には示されていない）へデータを転送または記憶させ、論理ゲート（図には示されていない）を利用し、または、本発明の原理にしたがって検出システムを動作するために現在利用できるテクノロジーを利用し得る、ソフトウェアを動作し得る。
【０１０２】
代替的に、制御回路１２０は、本体１１２に関して、遠隔的に位置され得る。制御回路１２０は、少なくとも部分的に、コンピュータ、または、検出システム１００を制御可能な他の回路であり得る。専門のソフトウェアが、検出システム１００の遠隔コントロール装置を提供、または制御回路１２０として利用されるコンピュータ、手で持てる装置または他の電気装置へ搭載され得る。この遠隔制御は、Ｂｌｕｅｔｏｏｔｈ（登録商標）のようなテクノロジーを使い、ワイヤレスに赤外部を介して、または、他の遠隔テクノロジーを介して、操作され得る。
【０１０３】
上記で説明されたように、証印１０２の要素は、データおよび／または情報が証印の要素の配置において格納される方法において、基板１０４に組織され得る。例えば、上記で説明されたように、データは、コード化、または暗号化された形式（バーコードのように）において提供され得る。証印１０２の検出および計測は、センサー１０６によって実行され得、一方でデコーディング回路１２４はデータの解読および解釈を実行し得る。追加的に、デコーディング回路１２４は、コードを解読し、異なる放射率によって格納されたデータを抽出するために、特定の電気信号（例えば、１または０、もしくは、格納された情報量を増加させるためのステップ機能としての中間値を利用すること、など）を、放射率値における特定の差異、または放射率値における差異の範囲に、関連させ得る。デコーディング回路１２４は、それゆえ、その相当する信号を利用し得る（例えば、格納や引き出し得る、など）。
【０１０４】
本発明における一部の実施例において、デコーディング回路１２４は、利用者に解読されたデータの意味を運ぶ、少なくとも一つの出力を生成し得る。一実施例は、基板１０４にある証印１０２の要素の位置および組み合わせを示すイメージを映すディスプレイ画面の表示であり得る。別の実施例は、テキスト表示であり得、またはコード化された情報の意味を詳述または提示するプリンター出力であり得る。利用者が理解できる言語において格納された情報の意味を提示する音声信号は、デコーディング回路１２４の別の出力であり得る。デコーディング回路１２４はまた、証印１０２を、読み、計測し、解読することにおいて、エラーが生じた場合、指示されるように構成され得る。システムは、所望され、またはそのように構成されている場合、多数の出力を同時に利用し得る。
【０１０５】
ディスプレイ画面、音声装置などは、図に示されていないが、当業者は、そのような装置が本体１１２または本体１７２から離れて、容易に追加され得ることを理解する。代替的には、デコーディング回路１２４は、本体１１２の外部に提供され得る。このように、デコーディング回路１２４は、ワイヤレスであろうと、直接接続を介そうと、検出システム１００の他の構成要素と通信し得る。さらに、デコーディング回路１２４は、本体１１２から離れている場合、ケーブル１２６のようなワイヤは、デコーディング回路１２４を本体１１２の内部にある構成要素へ結合するために利用され得る。ケーブル１２６は、本体１１２の外部にある構成要素から、内部の構成要素へデータを提供し得る。ケーブル１２６はまた、内部の構成要素から外部の構成要素へデータを提供し得る。
【０１０６】
制御回路１２０およびデコーディング回路１２４はまた、例えば放射率データ入力のような他の入力に付け加えて、多数のデータ入力を受信するために利用され得る。例えば、証印、基板、および／または他のデータは、センサー１０６、または証印、基板、および／または介在層の情報を含んだセンサーから、受信され得る。デコーディング回路１２４は、この情報を解読し得、または、その回路は、物質を同定するための計測または他のシステム入力を使用し得る。例えば、証印１０２は、そのようなセンサーを利用して同定され得る特定の物理的、化学的属性を有し得る。デコーディング回路１２４は、証印、基板などに関連した情報を格納し得る。このように、デコーディング回路１２４は、属性（例えば、放射率など）が検出された場合、その情報を引き出し得る。
【０１０７】
図２において、検出システム２００が提供される。検出システム２００は、図１の検出システム１００と類似している。特に、図２における構成要素１ＸＸは図１における構成要素１ＸＸと類似しているか、または同じである。当業者は、本発明の様々な実施形態において、類似または同一の構成要素が、類似または同一の機能を実行するために利用され得ることを理解する。
【０１０８】
図２は、証印１０２および／または基板１０４の温度に影響を与えることによって、証印１０２および／または基板１０４の属性を検出することを補助するために、熱エネルギー源１１０に代わって電磁エネルギー源２０６を含む検出システム２００を示している。電磁エネルギー源２０６は、例えば、ソレノイドコイル、磁石または、他の適切な電磁エネルギー源でもあり得る。当業者は、電磁エネルギーを生成するために、磁石が回転され、振動させられ、動かされ得ることを理解する。
【０１０９】
一部の実施形態において、介在層（たとえば、バックグラウンド層２０２および導電層２０４など）は、基板１０４と証印１０２との間に付け加えられ得る。バックグラウンド層２０２は、証印１０２と外見において類似している。そのような方法において、証印１０２は、基板とともに利用される基板の残留物または他の物体と見分けることができ得ない。例えば、基板１０４は、上記で示されたように、接着剤であり得、証印１０２を紙や他の物体へと接着するために利用される。バックグラウンド層２０２は、基板１０４と証印１０２との間に位置され、証印１０２と基板１０４との間の中間層として利用され得、一方で、証印１０２に、基板１０４およびバックグラウンド層２０２よりも他の物体へと接着させることを許可する。
【０１１０】
本発明における一部の実施形態において、バックグラウンド層２０２は、証印１０２の要素とは異なる放射率値を有し得る。センサー１０６は、異なる放射率値を検出し得る。証印１０２の要素は、バックグラウンド層２０２および証印１０２の要素の異なる放射率値のために、バックグラウンド層２０２に関連したデータを格納し得る。例えば、従来のバーコードは、バックグラウンド層２０２における証印１０２によって示され得る。この方法において、証印１０２の要素は、例えば、黒い線を表し得、バックグラウンド層２０２は、白いスペースを表し得る。これは、上記で説明されたものとは異なる。なぜならば、前記実施例において、証印１０２の異なる要素は、白線と黒線を示していた。しかしながらこの実施例においては、黒線は証印の要素によって示され、一方で、白いスペースは、証印１０２が修正する介在バックグラウンド層である。
【０１１１】
本発明における一部の実施形態は、証印１０２と基板１０４との間の介在層として導電層２０４を含み得る。一部の好ましい実施形態において、熱エネルギーおよび電流は導電層２０２の導電属性のために、導電層２０２を介して、伝導し得る。当業者は、これらの属性が、電磁エネルギー源２０６と組み合わさって、証印１０２、基板１０４、バックグラウンド層２０４などの温度に影響するために利用され得ることを理解する。
【０１１２】
例えば、電流が電磁エネルギー源２０６によって導電層２０２において誘導され得る。これは、電磁エネルギー源２０６が電磁パルスを供給する場合に、起こり得る。電磁パルスは、導電層２０２において電流を生成し得る。当業者は、生成された電流が証印１０２および他の必要な基板または層へ、熱エネルギーを供給し得ることを理解する。この方法において、証印１０２の要素の、異なる放射率値または放射率値の範囲が、特定のデータ（例えば、「０」または「１」）を検出および／または関連させられ得る。導電層２０２は、例えば、銅やアルミニウムテープであり得る。
【０１１３】
一部の実施形態において、導電層２０２は、証印１０２、基板１０４、および他の介在層（例えば、バックグラウンド層２０４）に関連した異なる場所において位置され得る。例えば、導電層２０２は、証印１０２と基板１０４との間に位置され得る。別の実施例として、導電層２０２は、基板１０４の下に位置され得、一方で、証印１０２および／または他の介在層は、基板１０４に位置される。代替的には、導電層２０２は、証印１０２と他の介在層との間に位置され得る。導電層２０２はまた、例えば、基板１０４および他の介在層との間に位置され得る。
【０１１４】
代替的には、検出システム２００の効果は、高密度の伝導体を有する証印を利用することによって増加され得る。例えば、証印１０２の要素は、高固体含量（ｈｉｇｈ  ｓｏｌｉｄ  ｃｏｎｔｅｎｔ）銅インクであり得、その場合、導電層２０２が必要とされ得ない。電磁源２０６は、高密度の伝導体の存在のために、インクにおいて電流を誘導することが可能となり得る。誘導された電流は、それゆえ、上記で説明されたように、熱エネルギーを生成するために利用され得る。証印１０２に存在する熱エネルギーは、センサー１０６に、証印１０２の異なる放射率値を検出することを許可し得る。バックグラウンド層２０４および／または基板１０４は、例えば、高固体含量銅インクによって覆われ得、または高固体含量銅インクであり得、電磁エネルギー源２０６によって、温度的に影響され得る。
【０１１５】
さらに、例えば、基板１０４、バックグラウンド層２０４および／または証印１０２が、電磁放射のために、表面温度を十分に等しくする場合、電磁エネルギー源２０６は、証印１０２に存在する熱エネルギーの量を増加させ得る。この方法において、センサー１０６は、証印１０２（および、必要な場合は、他の任意の基板または層も）の異なる放射率値を検出し得る。追加的に、証印１０２（および、必要な場合は、、他の任意の基板または層も）は、ほぼ同じ温度にするために影響を与え得る。この方法において、証印１０２（および、必要な場合は、他の任意の基板または層も）の温度は、（所望されるように）電磁エネルギー源２０６のために、センサー１０６の周りの環境の温度よりも相対的に暖かくあり得る。
【０１１６】
図３を参照すると、検出システム３００が提供される。検出システム３００は、図１の検出システム１００および図２の検出システム２００と類似している。特に、図３の構成要素１ＸＸおよび２ＸＸは、個々に、図１の１ＸＸおよび図２の２ＸＸの構成要素と類似または同一である。当業者は、本発明の様々な実施形態において、類似または同一の構成要素が、類似または同一の機能を実行するために利用され得ることを理解する。
【０１１７】
図３は、検出システム１００と類似した検出システムを示している。検出システム１００のように、検出システム３００はまた、証印に格納された情報が引き出され得るように、基板１０４にある証印の異なる放射率値を検出するのを補助するために、温度に影響し得る。
【０１１８】
しかしながら、検出システム３００は、センサー１０６の周りの環境の温度に影響を与えるための熱遮蔽３０２を含み得るという点において、特定である。好ましい実施形態において、センサー１０６は、センサーの回りの環境の温度が、証印１０２（および、必要であれば、他の任意の基板または層）の温度とは異なっている場合、上記で説明されたように、より効果的に動作し得る。証印１０２の温度が周囲の温度のままである一方で（または、センサーの周りの環境の温度が少なくとも異なっている）、センサー１０６の周りの環境の温度が、修正された場合、証印１０２の要素の配置は、異なる放射率値を有する基板や層などだけでなく、センサー１０６とともに位置され得る。デコーディング回路１２４は、異なる放射率値およびそれらの場所（および示される任意のデータをも）も解釈し得、上記で説明されたように、利用者に妥当な情報を運び得る。
【０１１９】
本発明における一部の実施形態において、システム３００は、熱遮蔽３０２および、システム１００が有さない他の構成要素を含み得る。例えば、遮蔽回路３０６は、熱遮蔽３０２および制御回路１２０の両方に、電気的に結合されえる。遮蔽回路３０６はまた、制御回路１２０へ統合され得る。遮蔽回路３０６は、電気パルスを介して、熱遮蔽３０２の機能を監視および制御するために利用され得る。温度要素３０４は、熱遮蔽３０２の温度に影響を与えるために、熱遮蔽３０２に固定され、配置され得るか、または、熱遮蔽３０２の近くに位置され得る。温度要素３０４はまた、熱遮蔽３０２、遮蔽回路３０６、およびサーモスタット３０８を電気的に結合され得る。多数の温度要素が、センサー１０６の周りの環境の温度に影響を十分に与えることが要求されるように、所定の領域の中に存在し得る。センサー１０６は、それゆえ、センサー１０６の周りの環境の温度が証印１０２の温度とは異なる場合、変化する放射率値を検出し得る。
【０１２０】
サーモスタット３０８は、熱遮蔽３０２、温度要素３０４、バックグラウンド層、またはその温度が所望される他の任意の構成要素をも、その温度を計測し得る。サーモスタット３０８の温度計測は、システムに妥当な温度を監視させることを助ける。サーモスタット３０８の温度計測は、検出システム３００の構成要素、または、サーモスタット３０８と離れて接続される構成要素によって、利用され得る。
【０１２１】
一部の実施形態において、熱遮蔽３０２の温度は、センサー１０６の周りの環境の温度であり得る。この方法において、熱遮蔽３０２は相対的にセンサー１０６の近くを取り囲み得るか、または位置され得る。例えば、センサー１０６は、熱遮蔽１０６の背後に位置され得る。別の実施例として、センサー１０６は、熱遮蔽３０２（図３において示されたように）における穴を介して出っ張っている。さらに別の実施例として、センサー１０６は、熱遮蔽３０２に添付され得る。
【０１２２】
一部の実施形態において、センサー１０６の周りの環境の温度は、変化する放射率値を計測するために、証印１０２の温度に対応して、上昇し得る。温度要素３０４の温度の上昇は、熱遮蔽３０２の温度を上昇さえ得、そこで、証印１０２、基板１０４および介在層（含み得、または含み得ない）の温度と対応して、センサーの周りの環境の温度を上昇させ得る。証印１０２の温度に対応したセンサーの周りの環境の温度の上昇は、証印１０２の変化する放射率値を検出させることを可能にし得る温度における差異を提供し得る。
【０１２３】
検出システム３００はまた、証印１０２の温度に対応したセンサー１０６の周りの環境にある温度を下げさせ得る。センサー１０６の周りの環境の温度は、証印１０２の温度よりも低く、それゆえ、証印１０２の要素の放射率値は、証印１０２の要素が熱エネルギーに吸収する速度に影響を与え得る。例えば、バックグラウンド層２０２は、熱遮蔽３０２のように、エネルギー源によって、同様に影響される。この場合、センサー１０６は、異なる放射率値を見つけ出し、計測し得、上記で説明されたように、デコーディング回路１２４へ、関連された情報を提供し得る。
【０１２４】
本発明の一部の実施形態において、上記で説明されたシステムを組み合わされるシステムが提供され得る。例えば、図４は、システム１００およびシステム３００の組み合わせである検出システム４００を表している。システム４００は、熱遮蔽３０２および熱エネルギー源１１０に類似した温度影響装置を利用する。例えば、熱遮蔽３０２は、センサー１０６の周りの環境の温度を下げ得、一方で、熱エネルギー源１１０は、証印１０２の温度および他の任意の層および／または基板の温度をも上昇させ得る。
【０１２５】
通常、システム３００は、図１の検出システム１００、図２の検出システム２００および図３の検出システム３００に類似している。特に、構成要素１ＸＸ、２ＸＸおよび図３の３ＸＸは、個々に、構成要素、図１の１ＸＸ、図２の２ＸＸおよび図３の３ＸＸと類似している。当業者は、本発明における様々な実施形態において、類似または同一の構成要素が、類似または同一の機能を実行するために利用され得ることを理解する。
【０１２６】
一部の実施形態において、システム４００は被覆物４０２を含み得、熱エネルギー源１１０によって放射されたエネルギー波長を吸収し得る。吸収された波長は、例えば、放射率値がセンサー１０６によって適切に計測されることを妨げ得る波長であり得る。別の実施例として、吸収された波長は、光またはエネルギーの特に有害または不必要な波長であり得る。一部の実施形態において、吸収された波長は、熱遮蔽３０２の温度に影響を与え得、例えば、それは熱遮蔽３０２に、センサー１０６の周りの環境の温度に影響を与えることを許可し得る。
【０１２７】
検出システム１００および検出システム３００の特徴の一部を検出システム４００に組み合わせることは、証印とセンサーの周りの環境との間の温度の差異を増加させることを許可し得る。証印１０２の要素の異なる放射率値を検出するためのセンサー１０６の能力はまた、温度の差異が増加するにつれて、増加し得る。
【０１２８】
図５は、本発明にしたがって利用され得る検出プロセスのブロック図である。ステップ５０２において、検出システムのセンサーは、計測され得る基板の証印の近くに配置される。ステップ５０４において、検出システムは起動され得、制御回路が始動し、検出システムを監視および制御し得る。
【０１２９】
ステップ５０６、５１０、５１４において、上記で説明された実施形態の３つのプロセスの流れが詳述される。システムが熱遮蔽を含む場合、ステップ５０６が次であり、熱遮蔽が起動され得る。遮蔽が起動された後、遮蔽はステップ５０８において、安定した温度になり得る。この温度は、センサー１０６の周りの環境の温度に利用され得、または影響を与え得る。システムが電磁エネルギー源を含む場合、ステップ５１０が次である。ステップ５１０において、電磁エネルギー源が起動され、証印、基板および介在層の温度が、ステップ５１２において上昇させられ得る。システムが熱エネルギーを含む場合、ステップ５１４が次であり得る。ステップ５１４において、一期間、または適切な証印、層、および／または基板の温度が到達され得るまで、熱エネルギー源が起動され得る。
【０１３０】
ステップ５１８において、検出システムは、証印が存在し得る基板を横切って移動され得る。ステップ５２０において、センサーは、計測された異なる放射率値を表すデータ信号を発する。ステップ５２２において、証印によって格納された任意の情報を表すセンサーによって生成されたデータは、デコーディング回路１２４によって解読され得る。ステップ５２４において、デコーディング回路１２４によって解読されたデータは、理解を容易にし得るフォーマットにおいて、ユーザーインターフェイスを介して出力し得る。
【０１３１】
当業者は、本発明の原理にしたがって、上記に説明された解読システムが、本発明の図のみによって提供されることを理解し、本発明が、上記で説明された特定の構成によって限定されないことを理解するものである。例えば、上記で説明されたように、検出システム１００および２００は、証印１０２の温度を上昇させ得るが、しかしながら、本発明は、この方法に限定されるものではない。むしろ、センサーの近くの環境と証印との間の温度の適切な差異は、証印および、応用可能であれば、基板および介在層の異なる放射率値を計測するために利用され得る。追加的に、検出システムの使用方法が上記で説明される一方で、他の使用方法もまた、本発明の範囲の中にある。これらの他の使用方法は、例えば、隠されたコードを検出することによって、運転免許書および／または病院の身分証明タグを認証することなどを含み得る。
【０１３２】
追加的に、当業者は、図に表され、または表されていない実施形態も、本発明の原理にしたがって他の検出システムを形成するために組み合わされ得ることを理解する。例えば、図３において示された実施形態は、図２において示された実施形態と組み合わされ得る。これらの実施形態を組み合わせることは有益である。なぜならば、目的物とそのバックグラウンドとの間の温度のより大きな差異が得られ得るからである。例えば、電磁エネルギー源２０６は、証印の温度を上昇させ得、一方で、熱遮蔽３０２は、センサー１０６の周りにある環境の温度を下げる。この方法において、温度の差異は、図４において示された実施形態に類似し、増加し得る。
【０１３３】
さらに、本発明にしたがった検出システムの様々な構成要素が、合わさって製造され得、または個々に製造され得ることもまた、当業者によって理解され得るものである。それらは、単品として、または、合わさって接続される多数の品として集められ得る。しかしながら、上記で説明されたように、これらの構成要素の一部または全ては遠隔制御および／またはディスプレイに利用され得、もしくは、ある実施形態においては、一部の構成要素が排除され得る（または、他の構成要素と組み合わされる）こともまた、考慮される。
【０１３４】
本発明は、これらの方法に限定されない。上記で説明された本発明の実施形態は、図示のために提出されたものであり、限定のためではなく、本発明は、上述した請求項によってのみ限定されるものである。
【図面の簡単な説明】
【０１３５】
【図１】図１は、検出システムが熱エネルギー源を含む本発明における原理にしたがって構成される検出システムの一実施形態の図である。
【図２】図２は、検出システムが電磁エネルギー源を含む本発明の原理にしたがって構成される検出システムの他の実施形態である。
【図３】図３は、検出システムが熱遮蔽を含む本発明の原理にしたがって構成される検出システムの他の実施形態の図である。
【図４】図４は、検出システムが熱遮蔽および熱エネルギー源を含む本発明の原理にしたがって構成される検出システムの他の実施形態の図である。
【図５】図５は、検出および解読プロセスの好ましい実施形態を描いているブロック図である。
【符号の説明】
【０１３６】
１００，２００、３００、４００  検出システム
１０２  証印
１０４  基板
１０６  センサー
１０８  リフレクタ
１１０  熱エネルギー源
１１２  本体
１１４  トリガ
１１６  フィルタ
１２０  制御回路
１２４  デコーディング回路
１２６  ケーブル
１３０、１３２  要素
２０２  バックグラウンド層
２０４  導電層
２０６  電磁エネルギー源
３０２  熱遮蔽
３０４  温度要素
３０６  遮蔽回路
３０８  サーモスタット
【図１】
2006120159.tif 000003
【図２】
2006120159.tif 000004
【図３】
2006120159.tif 000005
【図４】
2006120159.tif 000006
【図５】
2006120159.tif 000007